(57)【特許請求の範囲】
【請求項１】
筐体内に、導電性エレメントを有する回路デバイスとスピーカとが収容された携帯機器であって、
前記筐体の側壁には、当該筐体の内方に開口したアンダーカット部が形成され、
前記スピーカを保持するホルダーは、前記回路デバイスと一体的に設けられ、且つ前記スピーカが収納されるスピーカ収納部を有し、
前記回路デバイスの少なくとも一部は、前記筐体のアンダーカット部の内側に配置され、
前記スピーカ収納部の開口全体が、前記筐体の機器後側に開口した開口領域内に位置し、
前記スピーカの機器後側には、前記スピーカ収納部の開口を覆うホルダーカバーが設けられ、
前記スピーカは、前記ホルダーカバー側に受電用のばね状端子を有し、
前記ホルダーカバーには、前記ばね状端子に押し当てられることで該ばね状端子を介して前記スピーカに給電する給電板が取り付けられている
ことを特徴とする携帯機器。
【請求項２】
請求項１に記載された携帯機器において、
前記スピーカ収納部は、機器後方に開口したボックス状に形成され、
前記ホルダーには、前記スピーカ収納部の底面を構成するスピーカ支持部と、前記スピーカ収納部の周壁部を構成する把手部とを備え、前記スピーカ収納部から前記スピーカごと取出し可能な取出し補助具が取り付けられている
ことを特徴とする携帯機器。
【請求項３】
請求項１又は２のいずれか１項に記載された携帯機器において、
前記回路デバイスと前記ホルダーとは別個の部品であり、
前記回路デバイス及びホルダーのうち一方の部品は、他方の部品に引っ掛けられる爪片を有し、該爪片による固定構造で他方の部品と一体化されている
ことを特徴とする携帯機器。
【発明の詳細な説明】
【技術分野】
【０００１】
本発明は、アンテナ等の回路デバイス及びスピーカを内蔵した携帯機器に関する。
【背景技術】
【０００２】
近年、スマートフォンと呼ばれる携帯電話機などの携帯機器では、通信用のアンテナとして、伸長させて通信感度を向上させることが可能な伸縮式のロッドアンテナに代えて、成形回路部品からなるＭＩＤ（Molded Interconnect Device）アンテナと呼ばれる内蔵固定式のアンテナを採用するものが増えてきている。
【０００３】
この種の携帯機器では、筐体の内部空間を有効に活用し当該機器の小型化及び薄型化を図るために、比較的大きな面積を必要とする電池パックやメイン回路基板を筐体の中央部分に配置すると共に、アンテナやスピーカといった小型部品を筐体の側壁付近に配置する構成が一般的に採用されている。
【０００４】
また、このような携帯機器の構造として、筐体が樹脂製であり、その筐体にスピーカを取り囲んで収納するスピーカ収納部が一体に形成され、このスピーカ収納部でスピーカを位置決めする構造が知られている（例えば、特許文献１参照）。
【先行技術文献】
【特許文献】
【０００５】
【特許文献１】特開２０１４−１１０６３２号公報
【発明の概要】
【発明が解決しようとする課題】
【０００６】
上述した従来の携帯機器には、筐体の内部空間をさらに有効活用する観点で改善の余地がある。その具体的な改善策としては、筐体の側壁に内方へ開口するアンダーカット部を形成し、そのアンダーカット部の内側にアンテナ等の回路デバイスを配置すると共に、この回路デバイスにスピーカを隣接させて配置することによって、これら両部品のよりいっそう効率的な配置を実現することが考えられる。
【０００７】
しかしながら、筐体の側壁にアンダーカット部を形成する場合には、アンダーカット部成形用のスライド駒（スライド型）の抜き代を当該アンダーカット部の筐体内方に設けておく必要があるため、アンダーカット部付近には、スピーカ収納部を形成することができず、筐体に対しスピーカを精度良く取り付けることが困難となる。スピーカの取付け位置がずれると、スピーカからの音を機器外部に好適に取り出せなくなって、携帯機器の音響性能が損なわれてしまう。
【０００８】
本発明は、斯かる点に鑑みてなされたものであり、その目的とするところは、筐体の内部空間に効率的に部品を配置し、且つ筐体に対しスピーカを精度良く取り付けることにある。
【課題を解決するための手段】
【０００９】
上記の目的を達成するために、本発明では、スピーカを保持するホルダーを筐体とは別ピースで回路デバイスと一体的に設けると共に、その回路デバイスの少なくとも一部を筐体の側壁に形成されたアンダーカット部に配置させるようにした。
【００１０】
具体的には、本発明は、筐体内に、導電性エレメントを有する回路デバイスとスピーカとが収容された携帯機器を対象とし、以下の解決手段を講じたものである。
【００１１】
すなわち、本発明は、筐体の側壁に、当該筐体の内方に開口したアンダーカット部が形成されていることを構成要件の１つとする。スピーカを保持するホルダーは、回路デバイスと一体的に設けられ、且つスピーカが収納されるスピーカ収納部を有している。回路デバイスの少なくとも一部は、筐体のアンダーカット部の内側に配置されている。スピーカ収納部の開口全体は、筐体の機器後側に開口した開口領域内に位置している。スピーカの機器後側には、スピーカ収納部の開口を覆うホルダーカバーが設けられている。そして、本発明は、スピーカが、ホルダーカバー側に受電用のばね状端子を有し、ホルダーカバーに、ばね状端子に押し当てられることでばね状端子を介してスピーカに給電する給電板が取り付けられていることを特徴とする。
【００１２】
上記の構成によると、筐体の側壁にアンダーカット部を形成し、このアンダーカット部に回路デバイスを配置させるようにしたから、アンダーカット部に配置される回路デバイスの分だけ筐体の内部空間を節約することができる。また、スピーカを保持するホルダーを筐体とは別ピースで回路デバイスと一体的に設けるようにしたので、スピーカ収納部などの位置決め構造を筐体に一体形成することを必要とせず、スピーカをホルダーで位置決めすると共に回路デバイスと隣接させて配置することができる。
【発明の効果】
【００１３】
しがたって、本発明によれば、筐体の内部空間に効率的に部品を配置でき、且つ筐体に対しスピーカを精度良く取り付けることができる。
【図面の簡単な説明】
【００１４】
【図１】本発明の実施形態１に係る携帯電話機の外観斜視図である。
【図２】本発明の実施形態１に係る携帯電話機の分解斜視図である。
【図３】本発明の実施形態１に係る携帯電話機の要部を示す背面図である。
【図４】本発明の実施形態１に係る携帯電話機のキャビネットの要部を示す斜視図である。
【図５】本発明の実施形態１に係る携帯電話機のキャビネットの要部を示す斜視図である。
【図６】図３のVI−VI線に対応する箇所における携帯電話機の断面図である。
【図７】図７（Ａ）は、本発明の実施形態１に係る携帯電話機に用いられるホルダーを背面側から見た斜視図であり、図７（Ｂ）は、そのホルダーを正面側から見た斜視図である。
【図８】図３のVIIIで囲んだ部分を見る角度を変え拡大して示す斜視図である。
【図９】図３のIXで囲んだ部分を見る角度を変え拡大して示す斜視図である。
【図１０】図３のX−X線に対応する箇所における携帯電話機の断面図である。
【図１１】図３のXI−XI線に対応する箇所における携帯電話機の断面図である。
【図１２】本発明の実施形態２に係る携帯電話機の要部の分解斜視図である。
【図１３】図１３（Ａ）は、本発明の実施形態２に係る携帯電話機に用いられるアンテナを背面側から見た斜視図であり、図１３（Ｂ）は、そのアンテナを正面側から見た斜視図である。
【図１４】本発明の実施形態２に係る携帯電話機の要部を示す背面斜視図である。
【図１５】本発明の実施形態２に係る携帯電話機の図６相当図である。
【図１６】本発明の実施形態３に係る携帯電話機の要部の分解斜視図である。
【図１７】本発明の実施形態３に係る携帯電話機の要部を拡大して示す背面図である。
【図１８】図１７のXVIII−XVIII線に対応する箇所の携帯電話機の断面図である。
【発明を実施するための形態】
【００１５】
以下、本発明に係る実施形態を図面に基づいて詳細に説明する。なお、以下の実施形態は、本質的に好ましい例示であって、本発明、その適用物、或いはその用途の範囲を制限することを意図するものではない。また、以下の実施形態では、説明の便宜上、携帯電話機について、表示ユニットの正面側を「前」、背面側を「後」と称し、上下方向における上側を「上」、下側を「下」と称し、表示ユニットを正面側から見たときの左右方向における左側を「左」、右側を「右」と称する。
【００１６】
《発明の実施形態１》
図１に、この実施形態１に係る携帯電話機１の外観斜視図を示す。また、図２に、この携帯電話機１の分解斜視図を示す。携帯電話機１は、図１に示すストレートタイプのスマートフォンと呼ばれる薄型の携帯機器であって、音声通話機能（電話機能）とデータ通信機能とを併せ持っている。携帯電話機１の下面には、スピーカ用放音孔５及びマイク用音孔３が左右に並べて横長形状に開口している。
【００１７】
この携帯電話機１は、図２に示すように、正面視で略長方形状の扁平な筐体７内に、液晶ディスプレイや有機ＥＬ（Electro-Luminescence）ディスプレイなどの表示ユニット９、スピーカ１１、マイク１３、アンテナ１５、カメラユニット１７、カードソケット１９、電池パック２１、及びこれらの動作を制御する回路基板２３，２５などの複数の電子部品が収容された構造を有する。
【００１８】
筐体７は、上記複数の電子部品９，１１，１３，１５，１７，１９，２１，２３，２５を収納するキャビネット２７と、このキャビネット２７の後側に取り付けられるリヤカバーとしての板状の外観パネル２９とを有する。キャビネット２７は、従来のような正面側キャビネットと背面側キャビネットとを組み合わせる構造とは異なり、１つの樹脂成形品からなり、それによって携帯電話機１の薄型化が図られている。
【００１９】
このキャビネット２７は、略長方形枠状に形成された樹脂製のフレーム部３１を備え、このフレーム部３１の内側開口を塞ぐように、例えばステンレス等からなる板金３３がインサート成形されてなる。板金３３は、フレーム部３１の前後方向における中間よりも前側寄りに配置されている。キャビネット２７は、板金３３の前側に設けられて前側に開口する相対的に浅い前側収容部３９（後に参照する図６、図１０及び図１１に示す）と、板金３３の後側に設けられて後側に開口する相対的に深い後側収容部４１とを有する。
【００２０】
そして、フレーム部３１の左右両側壁のうち上下方向における中間よりもやや上側の部分同士は、左右方向に延びる横桟部４３で連結されている。キャビネット２７の後側収容部４１は、この横桟部４３で上下に仕切られている。さらに、フレーム部３１の下側部分には、当該フレーム部３１の下方側壁の内面（上面）から上方に延びる壁状の部品搭載部４７が設けられている。
【００２１】
さらに、フレーム部３１の後端面には、平坦な貼付部７５（後に参照する図３〜図５、図８及び図９ではドット柄を付して示す）が枠状に設けられている。外観パネル２９は、その貼付部７５に両面テープ等の接合材７７を介して貼り付けられて、後側収容部４１の開口、つまり筐体７の後側に開口した開口を塞いでいる。また、キャビネット２７の左右両側面及び下面は、両面テープ等の接合材３７で固定されたＵ字状の装飾カバー３５によって覆われている。これら外観パネル２９及び装飾カバー３５の接合材３７，７７は、後に参照する図６、図１０及び図１１に示す。
【００２２】
表示ユニット９は、タッチパネル付きのものであって、キャビネット２７の前側収容部３９に収容されて、携帯電話機１のユーザーインターフェースを構成している。その他のスピーカ１１、マイク１３、アンテナ１５、カメラユニット１７、カードソケット１９、電池パック２１及び回路基板２３，２５などの電子部品は、キャビネット２７の後側収容部４１、つまりキャビネット２７の背面側で板金３３と外観パネル２９との間に収容されている。
【００２３】
回路基板２３，２５は、携帯電話機１全体の動作を制御するメイン回路基板２３と、アンテナ用の整合回路（不図示）や給電部などが設けられたアンテナ基板２５とである。メイン回路基板２３は、キャビネット２７の後側収容部４１のうち横桟部４３よりも上側の部分に配置されている。カメラユニット１７及びカードソケット１９は、このメイン回路基板２３の上側部分に取り付けられている。
【００２４】
メイン回路基板２３の後面は、ＮＦＣ（Near Field Communication）等の近距離通信の機能を担うサブアンテナ組品８３で覆われている。このサブアンテナ組品８３は、複数のビス８５でキャビネット２７のフレーム部３１に留められている。電池パック２１は、それらメイン回路基板２３及びサブアンテナ組品８３の下方、つまりキャビネット２７の後側収容部４１のうち横桟部４３よりも下側の部分に配置されている。
【００２５】
図３は、携帯電話機１のうち電池パック２１よりも下側の部分の内部構造を示す背面図である。スピーカ１１、マイク１３、アンテナ１５及びアンテナ基板２５は、図３に示すように、電池パック２１の下側に組み込まれている。アンテナ基板２５は、左右方向の略全体に亘る横長のプリント基板であって、薄型化などのために、例えば０．２ｍｍ〜０．３ｍｍ程度の厚さを有し、それ自体の強度は限られている。アンテナ基板２５のうちスピーカ用放音孔５の上側に対応する部分には、下方に開放された長方形状の切欠き部２５ａが形成されている。
【００２６】
スピーカ１１は、その切欠き部２５ａの内側に配置されている。このスピーカ１１は、左右一対に設けられた受電用のばね状端子１１７を後側に有する。マイク１３は、アンテナ基板２５の右側部分でマイク用音孔３の上方位置に取り付けられている。アンテナ基板２５のうちマイク１３が取り付けられた部分には、マイク用音孔３に連通する貫通孔（不図示）が穿孔されている。
【００２７】
アンテナ基板２５の後面で切欠き部２５ａの上側部分には、給電用のシールドフィンガー８１が左右一対に実装されている。また、アンテナ基板２５の後面で右端側部分には、ケーブルコネクタ７９が設けられている。このケーブルコネクタ７９は、図２に示すように、メイン回路基板２３の無線制御部（不図示）と同軸ケーブル８７で接続されている。その他、アンテナ基板２５は、プリント配線基板８９を介してメイン回路基板２３のグランド等にも接続されている。
【００２８】
スピーカ１１及びアンテナ基板２５は、樹脂成形品からなる同一のホルダー４５の後側に嵌め込まれて保持されている。ホルダー４５は、キャビネット２７の部品搭載部４７に取り付けられており、スピーカ１１及びアンテナ基板２５を位置決めした状態で部品搭載部４７に搭載する役割を担う。
【００２９】
図４に、キャビネット２７の部品搭載部４７を左上側から見た斜視図を示す。また、図５に、キャビネット２７の部品搭載部４７を右下側から見た斜視図を示す。キャビネット２７の部品搭載部４７は、図４及び図５に示すように、前後方向において板金３３と同程度の位置でキャビネット２７の左右方向の全体に亘って形成されており、ホルダー４５に対する位置決め構造として、ホルダー４５がビス留めされる複数の締結部４９，５１と、各々後方に突出する突出壁５３及び凸部５７とを備える。
【００３０】
複数の締結部４９，５１は、部品搭載部４７のうち右側端部の上下方向における中程部分に設けられた第１締結部４９と、部品搭載部４７の左上角部に設けられた第２締結部５１とである。第１締結部４９は、部品搭載部４７のその他の部分に比べて厚い平板状に形成されている。他方、第２締結部５１は、後方に突出した略直方体状に形成されている。これら第１締結部４９及び第２締結部５１は、ビス留め用の挿入孔４９ａ，５１ａをそれぞれ有する。
【００３１】
突出壁５３は、部品搭載部４７のうちその第２締結部５１の右側部分に、その壁面を上下方向に臨ませて設けられている。この突出壁５３の下側壁面には、下方に開口した嵌合凹部５５が形成されている。また、凸部５７は、部品搭載部４７の右上端部に略直方体状に形成されている。その他、キャビネット２７のフレーム部３１の右方側壁のうち部品搭載部４７の右側に対応する部分には、筐体７の内方、つまり左方に開口した位置決め用の嵌合凹部５９が形成されている。
【００３２】
図６に、図３のVI−VI線に対応する箇所における携帯電話機１の断面図を示す。部品搭載部４７の左側部分には、図４に示すように、前後方向に貫通する横貫通孔６１が形成されている。この横貫通孔６１は、図６に示すように、前方に向かうに連れて次第に空間が広がる断面テーパ状に形成されている。横貫通孔６１の前側は、防水シート６３で塞がれている。
【００３３】
さらに、部品搭載部４７には、キャビネット２７の下面に開口し、横貫通孔６１と連通する縦貫通孔６５が形成されている。この縦貫通孔６５は、下方に向かうに連れて次第に空間が広がる断面テーパ形状に形成されている。そして、装飾カバー３５の下辺部のうち縦貫通孔６５に対応する部分には、当該縦貫通孔６５と連通する貫通孔６７が形成されている。
【００３４】
これら横貫通孔６１、縦貫通孔６５及び貫通孔６７は、スピーカ１１からの音を通すスピーカ用放音孔５を構成している。キャビネット２７と装飾カバー３５との間には、縦貫通孔６５と貫通孔６７とを仕切ってスピーカ用放音孔５を内部で塞ぐメッシュ部材６９が設けられている。このメッシュ部材６９は、音は通過させるが、塵埃等の侵入を防ぐ多孔シート状物である。マイク用音孔３は、上記スピーカ用放音孔５と同様な構成を有し、部品搭載部４７の右側部分とキャビネット２７の下面とに開口し、メッシュ部材６９によって内部で塞がれている。
【００３５】
また、キャビネット２７の下方側壁、具体的にはフレーム部３１のうち部品搭載部４７の下側で後側収容部４１の下側壁を構成する部分には、図４及び図６に示すように、筐体７の内方、つまり上方に開口したアンダーカット部７１が左右方向における全体に亘って形成されている。キャビネット２７は、型開き方向が当該キャビネット２７の厚さ方向（前後方向）とされた射出成形型で成形される。このため、アンダーカット部７１の成形には、その型開き方向と交差する方向にスライドするスライド駒（スライド型）が必要となる。
【００３６】
また、フレーム部３１のうち後側収容部４１の右方側壁を構成する部分には、筐体７の内方（左方）に開口したケーブル収納用の凹溝７３が、キャビネット２７の下端寄りの部分から横桟部４３にかけての部分に形成されている。同軸ケーブル８７は、この凹溝７３に嵌め入れられており、電池パック２１の側方に沿わせて配置されている。
【００３７】
図７（Ａ）にホルダー４５を後側から見た斜視図を、図７（Ｂ）にホルダー４５を前側から見た斜視図をそれぞれ示す。図８は、図３のVIIIで囲んだ部分を左上から見た斜視図である。図９は、図３のIXで囲んだ部分を右下側から見た斜視図である。ホルダー４５は、図７（Ａ），（Ｂ）に示すように、キャビネット２７に対する位置決め構造として、複数のビス留め部９１，９３と複数の当接部９７，９９，１０１，１０３，１０５とを備える。
【００３８】
複数のビス留め部９１，９３は、ホルダー４５の右下側の部分に設けられた第１ビス留め部９１と、左上側の部分に設けられた第２ビス留め部９３とである。これら第１ビス留め部９１及び第２ビス留め部９３は、板面が前後方向に臨む板状に形成された部分であって、ビス９５が挿通される挿通孔９１ａ，９３ａをそれぞれ有する。
【００３９】
第１ビス留め部９１は、ホルダー４５のうちアンテナ基板２５を保持する部分よりも後方に位置している。この第１ビス留め部９１は、図８に示すように、挿通孔９１ａを挿通させたビス９５をキャビネット２７の第１締結部４９の挿入孔４９ａに挿入することにより、当該第１締結部４９にビス留めされて、ホルダー４５を前後方向に位置決めする。また、第１ビス留め部９１は、キャビネット２７のフレーム部３１のうち右側壁部の内面と右端縁を合わせることで、ホルダー４５を左右方向に位置決めする。
【００４０】
他方、第２ビス留め部９３は、前側を凹ませて後方に突出した部分に設けられており、ホルダー４５のうち第１ビス留め部９１を含む他の部分よりも後側に位置している。第２ビス留め部９３は、図９に示すように、挿通孔９３ａを挿通させたビス９５をキャビネット２７の第２締結部５１の挿入孔５１ａに挿入することにより、当該第２締結部５１にビス留めされて、ホルダー４５を前後方向に位置決めする。
【００４１】
他方、複数の当接部９７，９９，１０１，１０３，１０５は、ホルダー４５の右端に設けられた第１突出片９７と、ホルダー４５の上端縁部のうち右前側に設けられた切欠き部９９と、第２ビス留め部９３の右側に設けられた第２突出片１０１と、第２ビス留め部９３の下側に設けられた第３突出片１０３と、この第３突出片１０３の左側でホルダー４５の左端縁に設けられた第４突出片１０５とである。
【００４２】
第１突出片９７は、ホルダー本体４５ａの右側面から若干右方に延びた後に後方に延びており、右方に臨む面と後方に臨む面とからなる断面Ｌ字状の当接面９７ａを先端側部分に有する。第１突出片９７は、図８に示すように、その当接面９７ａを、キャビネット２７の右方側壁に設けられた嵌合凹部５９の前面及びそれに連続して後側で筐体７内方に臨む側面に当接させることで、ホルダー４５を前後方向に位置決めする。
【００４３】
切欠き部９９は、右方及び上方に開放された直方体状に形成されており、図８に示すように、部品搭載部４７に設けられた位置決め用の凸部５７と嵌合することで、ホルダー４５を上下方向及び左右方向に位置決めする。ホルダー４５のうちこの切欠き部９９の後側に対応する部分には、後方に突出したリブ１０７が設けられている。このリブ１０７は、アンテナ基板２５を上側で位置決めし、且つキャビネット２７に設けられた位置決め用の突出壁５３と共に電池パック２１を下側で位置決めする。
【００４４】
第２突出片１０１は、ホルダー本体４５ａの上側面から若干上方に延びた後に後方に延びており、上方に臨む面と後方に臨む面とを有する断面Ｌ字状の当接面１０１ａを先端側部分に有する。第２突出片１０１は、図９に示すように、その当接面１０１ａを、部品搭載部４７に設けられた突出壁５３の嵌合凹部５５後面及びその後側に続く下面に当接させることで、ホルダー４５を前後方向に位置決めする。
【００４５】
第３突出片１０３は、前方に突出し、三角形の２つの角部を切り落としたような形状に形成されており、上方に臨む当接面１０３ａを有する。第３突出片１０３は、図９に示すように、その当接面１０３ａを第２ビス留め部９３の下面に当接させることで、ホルダー４５を上下方向に位置決めする。第４突出片１０５は、後方に突出しており、キャビネット２７のフレーム部３１のうち左側壁部の内面と左端縁を合わせることで、ホルダー４５を左右方向に位置決めする。
【００４６】
また、ホルダー４５は、図３及び図６に示すように、横貫通孔６１に対応する部分に、後方に向けて開口した長方形ボックス状のスピーカ収納部１０９を有している。このスピーカ収納部１０９は、アンテナ基板２５の切欠き部２５ａの内側に嵌め込まれている。スピーカ収納部１０９は、スピーカ１１を取り囲む周壁部１１０と、スピーカ１１が載置される底壁部１１１とで構成されている。
【００４７】
スピーカ収納部１０９の底壁部１１１には、横貫通孔６１に向けて開口する放音用の開口部１１３が形成されている。スピーカ１１は、このスピーカ収納部１０９に収納されることで位置決めされており、開口部１１３を通してスピーカ用放音孔５に放音する。このスピーカ１１及びアンテナ基板２５の後側には、図２及び図６に示すように、スピーカ収納部１０９の開口を含むホルダー４５全体を覆う樹脂製のホルダーカバー１１５が設けられている。
【００４８】
図１０に、図３のX−X線に対応する箇所の携帯電話機１の断面図を示す。また、図１１に、図３のXI−XI線に対応する箇所の携帯電話機１の断面図を示す。ホルダーカバー１１５は、図１０に示すように、キャビネット２７の部品搭載部４７に対しホルダー４５を取り付けるビス９５によって共締めされている。これによって、ホルダー４５のガタツキやズレを好適に防止することができる。このホルダーカバー１１５の前面には、図６に示すように、両方のシールドフィンガー８１と両ばね状端子１１７とに対応する箇所に亘って給電板１１９が両面テープ等で取り付けられている。
【００４９】
この給電板１１９は、キャビネット２７の部品搭載部４７に対するホルダー４５及びホルダーカバー１１５の共締めを以て、各シールドフィンガー８１と各ばね状端子１１７とに押し当てられており、両シールドフィンガー８１から両ばね状端子１１７を介してスピーカ１１に給電する。また、スピーカ１１は、この給電板１１９の押し当てによりスピーカ収納部１０９の底壁部１１１との間に挟み込まれて、当該スピーカ収納部１０９内に移動が規制された状態で保持される。
【００５０】
そして、上記ホルダー４５は、アンテナ１５と一体的に設けられている。このアンテナ１５は、いわゆるＭＩＤアンテナであって、上記ホルダー４５の下側部分に作り込まれている。具体的には、ホルダー４５の下端部には後方に突出したブロック状又は壁状の基部１２０が一体成形されており、アンテナ１５は、この基部１２０の表面に複数のアンテナエレメント１２１（図３、図７及び図８ではハッチングを付して示す）が印刷されてなる。本実施形態では、このようにホルダー４５をアンテナ１５と一体的に設けるようにしたので、スピーカ収納部などの位置決め構造を筐体７に一体形成することを必要とせず、スピーカ１１をホルダー４５で位置決めすると共にアンテナ１５と隣接させて配置することができる。
【００５１】
アンテナエレメント１２１は、図１１に示すように、ホルダー４５のうちアンテナ基板２５が配置される部分にまで引き出されている。アンテナ基板２５の前面のうちアンテナエレメント１２１の引き出し部に対応する部分には、アンテナ１５への給電部として、アンテナエレメント１２１にばねの弾性力によって圧接するアンテナ給電ばね１２３が実装されている。アンテナエレメント１２１には、このアンテナ給電ばね１２３を介して所定周波数の信号に応じた電力が供給される。なお、アンテナ給電ばね１２３は、アンテナエレメント１２１の数に合わせて設けられていればよい。
【００５２】
ホルダー４５は、上記アンテナ１５をキャビネット２７に設けられたアンダーカット部７１の内側に部分的に挿入して、部品搭載部４７に対し、両面テープ等の接合材１２４により固定されて取り付けられている。こうして、アンテナ１５の一部は、キャビネット２７のアンダーカット部７１の内側に配置されている。そのことにより、アンダーカット部７１に配置されるアンテナ１５の分だけ筐体７の内部空間を節約することができる。
【００５３】
そして、ホルダー４５が部品搭載部４７に取り付けられた状態で、スピーカ収納部１０９の開口全体は、キャビネット２７の後側収容部４１の開口領域内、つまりキャビネット２７のうち貼付部７５よりも内側に位置し、外観パネル２９側に向いている。そのことで、外観パネル２９を取り外せば、ホルダー４５を取り外さなくてもスピーカ１１を取り出すことができるようになっている。したがって、携帯電話機１では、スピーカ１１の取外し作業が容易である。
【００５４】
この実施形態１に係る携帯電話機１によると、筐体７の内部空間に効率的に部品を配置でき、且つホルダー４５のスピーカ収納部１０９への収納によってスピーカ１１を筐体７に精度良く取り付けることができる。その結果、携帯電話機１の小型化を図ることができると共に、スピーカ１１の取付け位置がずれることに起因する携帯電話機１の音響性能の低下を防止することができる。
【００５５】
《発明の実施形態２》
この実施形態２に係る携帯電話機１は、アンテナ１５及びその給電部の構成が上記実施形態１と異なる。なお、本実施形態では、構成の異なるアンテナ１５及びその給電部についてのみ説明し、上記実施形態１と同一の構成箇所は、図１〜図１１に基づく上記実施形態１の説明に譲ることにして、その詳細な説明を省略する。
【００５６】
図１２に、この実施形態２に係る携帯電話機１の要部の分解斜視図を示す。図１３（Ａ）に、この実施形態２に係る携帯電話機１に用いられるアンテナ１５を後側から見た斜視図を、図１３（Ｂ）に、そのアンテナ１５を前側から見た斜視図をそれぞれ示す。図１４に、この実施形態２に係る携帯電話機１の要部の背面斜視図を示す。また、図１５に、この実施形態２に係る携帯電話機１の図６相当図を示す。
【００５７】
上記実施形態１では、アンテナ１５がホルダー４５の一部にアンテナエレメント１２１を形成してなる形態を説明したが、この実施形態２では、アンテナ１５は、図１２及び図１５に示すように、ホルダー４５とは別個の回路成形品であって、ホルダー４５に後側から装着されることで当該ホルダー４５と一体的に設けられている。
【００５８】
アンテナ１５は、図１３（Ａ），（Ｂ）に示すように、上記実施形態１と同様にいわゆるＭＩＤアンテナであるが、ホルダー４５とは別体である樹脂製の基部１２２を有し、この基部１２２の表面に金属製のアンテナエレメント１２１（ハッチングを付して示す）が複数（例えば３つ）印刷されてなる。このアンテナ１５は、前方に突出した爪片１２９を複数（図１３（Ａ），（Ｂ）に示す例では２つ）有する。これら複数の爪片１２９は、アンテナ１５の左右両側に分けて設けられている。
【００５９】
アンテナ基板２５には、図１２及び図１４に示すように、アンテナ１５のアンテナエレメント１２１に対してばねの弾性力により圧接して電気的に接続されるアンテナ給電ばね１３１が複数（図１２に示す例では３つ）設けられている。このアンテナ給電ばね１３１の個数は、アンテナエレメント１２１の個数に合わせて設けられていればよい。
【００６０】
ホルダー４５のスピーカ収納部１０９を構成する周壁部１１０のうち下壁部の左右両側には、外側方へ突出し前後方向に延びる凸条部１２５がそれぞれ設けられている。アンテナ１５には、ホルダー４５に対する位置決め部として、上方に開口した、スピーカ収納部１０９の下壁部と嵌合する嵌合凹部１２６が設けられている。この嵌合凹部１２６の下側左右両端には、凸条部１２５に対し後方からスライドさせることで外嵌めされる位置決め凹部１２７がそれぞれ設けられている。
【００６１】
アンテナ１５は、それら各位置決め凹部１２７をホルダー４５の凸条部１２５に後方から嵌合させ、各爪片１２９をホルダー４５に引っ掛けることにより、当該ホルダー４５に位置決めしつつ取り付けられて、アンテナエレメント１２１にアンテナ給電ばね１３１を圧接させた状態でホルダー４５に固定される。このように、アンテナ１５は、爪片１２９による固定構造でホルダー４５と一体化されている。アンテナ給電ばね１３１は、ホルダー４５とアンテナ１５との間に挟み込まれることで、機械的な破壊から保護されている。
【００６２】
アンテナ１５をキャビネット２７に収容するには、当該アンテナ１５を、アンテナ基板２５等が保持されたホルダー４５に取り付けた後に、そのホルダー４５をキャビネット２７の後側収容部４１に入れて、アンテナ１５をキャビネット２７に設けられたアンダーカット部７１に上方から挿入すればよい。スピーカ収納部１０９へのスピーカ１１の収納作業は、アンテナ１５付きのホルダー４５をキャビネット２７に収容する前でもよいし、同ホルダー４５をキャビネット２７に収容した後であっても構わない。
【００６３】
この実施形態２に係る携帯電話機１によると、アンテナ１５をホルダー４５とは別個の回路成形品とすることで、アンテナ形状を設計する際の自由度を高めることができる。また、アンテナ１５を仮固定しながらキャビネット２７に設けられたアンダーカット部７１に配置させることができるので、アンテナ１５の組込み作業が容易である。その他については、上記実施形態１と同様な効果を得ることができる。
【００６４】
《発明の実施形態３》
この実施形態３に係る携帯電話機１は、ホルダー４５の構成が上記実施形態２と異なる。なお、本実施形態では、構成の異なるホルダー４５についてのみ説明し、上記実施形態１及び２と同一の構成箇所は、図１〜図１５に基づく上記実施形態１の説明に譲ることにして、その詳細な説明を省略する。
【００６５】
図１６に、この実施形態３に係る携帯電話機１の要部の分解斜視図を示す。図１７に、この実施形態３に係る携帯電話機１のスピーカ収納部１０９及びその周辺の背面図を示す。図１８に、図１７のXVIII−XVIII線に対応する箇所における携帯電話機１の断面図を示す。この実施形態３のホルダー４５には、図１６〜図１８に示すように、スピーカ収納部１０９からスピーカ１１を取り出すのを補助する取出し補助具１３３が取り付けられている。
【００６６】
スピーカ収納部１０９の周壁部１１０のうち左右両辺部で上下方向における中程の部分には、後方に開放された切欠き部１３９が形成されている。なお、このスピーカ収納部１０９には、ホルダー４５と一体形成された、上記実施形態１の図６に示す底壁部１１１は設けられていない。
【００６７】
取出し補助具１３３は、上記底壁部１１１に代えてスピーカ収納部１０９の底面を構成する長方形枠状のスピーカ支持部１３５と、このスピーカ支持部１３５の左右縁部のうち上下方向における中程に後方へ突出させて設けられた一対の把手部１３７とを備える。スピーカ支持部１３５には、スピーカ１１からの音をスピーカ用放音孔５に通す放音用の開口部１３４が形成されている。各把手部１３７は、スピーカ収納部１０９の切欠き部１３９に上方から嵌合し、そのスピーカ収納部１０９の周壁部１１０と共にスピーカ１１を取り囲む。
【００６８】
この取出し補助具１３３は、スピーカ支持部１３５をスピーカ収納部１０９内に嵌め入れて、当該スピーカ収納部１０９に後方から取り付けられる。スピーカ１１は、取出し補助具１３３が取り付けられたスピーカ収納部１０９に後方から嵌め入れられており、取出し補助具１３３のスピーカ支持部１３５に載置させた状態で、ホルダーカバー１１５をキャビネット２７の部品搭載部４７に対しホルダー４５とビス９５で共締めすることによって、ホルダーカバー１１５とスピーカ支持部１３５との間に挟み込まれてスピーカ収納部１０９内に保持されている。
【００６９】
この実施形態３に係る携帯電話機１によると、外観パネル２９及びホルダーカバー１１５を取り外した後に、一対の把手部１３７を指で挟む等すれば、取出し補助具１３３をスピーカ１１ごと引き上げることができるので、スピーカ１１の取出し作業を容易化することができる。その他については、上記実施形態１及び２と同様な効果を得ることができる。
【００７０】
なお、上記実施形態１〜３では、アンテナ１５として樹脂成形品に金属製のアンテナエレメント１２１を印刷したものを例に挙げて説明したが、これに限らず、アンテナ１５は、樹脂成形品にメッキしてアンテナエレメント１２１を形成してもよい。また、樹脂成形品とは別にアンテナエレメント１２１を作製し、そのアンテナエレメント１２１を樹脂成形品に嵌め込んだり、インサート成形したものであってもよい。
【００７１】
また、上記実施形態１〜３では、回路デバイスとしてアンテナ１５を例に挙げて説明したが、これに限らず、回路デバイスは、アンテナ１５に代えて、電磁波による無線通信を行ったり外部情報を検知したりする、静電容量センサ等のその他の回路デバイスであっても構わない。回路デバイスとしては、樹脂成形品に導電性エレメントを形成する等して作製可能であり、筐体７の外周部に存在することが望ましく、ホルダー４５に一体的に設けることができるものであればよい。
【００７２】
また、上記実施形態２では、アンテナ１５がホルダー４５に引っ掛けられる爪片１２９を有する形態を例に挙げて説明したが、これに限らず、ホルダー４５がアンテナ１５に引っ掛けられる複数の爪片を有し、その爪片による固定構造でアンテナ１５がホルダー４５に取り付けられて一体化されていてもよい。
【００７３】
また、上記実施形態１〜３では、アンテナ１５の一部がキャビネット２７のアンダーカット部７１の内側に配置されているとしたが、これに限らず、アンテナ１５の全体が当該アンダーカット部７１の内側に配置されていてもよい。
【００７４】
また、上記実施形態１〜３では、本発明に係る携帯機器について、携帯電話機を例に挙げて説明したが、これに限らず、ＰＨＳ（Personal Handy-phone System）やＰＤＡ（Personal Digital Assistant）、タブレット端末、ウェアラブル端末、モバイルツール、電子辞書、電卓、ゲーム機、更には小型の液晶テレビ、ＢＤ（Blu-ray（登録商標） Disc）プレーヤ、ＤＶＤ（Digital Versatile Disc）プレーヤなどの他の携帯機器にも適用することが可能である。
【００７５】
以上、本発明の好ましい実施形態について説明したが、本発明の技術的範囲は上記各実施形態に記載の範囲に限定されない。上記各実施形態が例示であり、それらの各構成要素の組合せに、さらに色々な変形例が可能なこと、またそうした変形例も本発明の範囲に属することは当業者に理解されるところである。
【産業上の利用可能性】
【００７６】
以上説明したように、本発明は、アンテナ等の回路デバイス及びスピーカを内蔵した携帯機器について有用であり、特に、筐体の内部空間に効率的に部品を配置し、且つ筐体に対しスピーカを精度良く取り付けることが要望される携帯機器に適している。
【符号の説明】
【００７７】
１…携帯電話機（携帯機器）、３…マイク用音孔、５…スピーカ用放音孔、
７…筐体、９…表示ユニット、１１…スピーカ、１３…マイク、
１５…アンテナ（回路デバイス）、１７…カメラユニット、１９…カードソケット、
２１…電池パック、２３…メイン回路基板、２５…アンテナ基板、２５ａ…切欠き部、
２７…キャビネット、２９…外観パネル（リヤカバー）、３１…フレーム部、
３３…板金、３５…装飾カバー、３７…接合材、３９…前側収容部、
４１…後側収容部、４３…横桟部、４５…ホルダー、４５ａ…ホルダー本体、
４７…部品搭載部、４９…第１締結部、４９ａ…挿入孔、５１…第２締結部、
５１ａ…挿入孔、５３…突出壁、５５…嵌合凹部、５７…凸部、５９…嵌合凹部、
６１…横貫通孔、６３…防水シート、６５…縦貫通孔、６７…貫通孔、
６９…メッシュ部材、７１…アンダーカット部、７３…凹溝、７５…貼付部、
７７…接合材、７９…ケーブルコネクタ、８１…シールドフィンガー、
８３…サブアンテナ組品、８５…ビス、８７…同軸ケーブル、
８９…プリント配線基板、９１…第１ビス留め部、９１ａ…挿通孔、
９３…第２ビス留め部、９３ａ…挿通孔、９５…ビス、９７…第１突出片、
９７ａ…当接面、９９…切欠き部、１０１…第２突出片、１０１ａ…当接面、
１０３…第３突出片、１０３ａ…当接面、１０５…第４突出片、１０７…リブ、
１０９…スピーカ収納部、１１０…周壁部、１１１…底壁部、１１３…開口部、
１１５…ホルダーカバー、１１７…ばね状端子、１１９…給電板、１２０…基部、
１２１…アンテナエレメント（導電性エレメント）、１２２…基部、
１２３…アンテナ給電ばね、１２４…接合材、１２５…凸条部、１２６…嵌合凹部、
１２７…位置決め凹部、１２９…爪片、１３１…アンテナ給電ばね、
１３３…取出し補助具、１３４…開口部、１３５…スピーカ支持部、１３７…把手部、
１３９…切欠き部
【図１】
0006506096.tif 000002
【図２】
0006506096.tif 000003
【図３】
0006506096.tif 000004
【図４】
0006506096.tif 000005
【図５】
0006506096.tif 000006
【図６】
0006506096.tif 000007
【図７】
0006506096.tif 000008
【図８】
0006506096.tif 000009
【図９】
0006506096.tif 000010
【図１０】
0006506096.tif 000011
【図１１】
0006506096.tif 000012
【図１２】
0006506096.tif 000013
【図１３】
0006506096.tif 000014
【図１４】
0006506096.tif 000015
【図１５】
0006506096.tif 000016
【図１６】
0006506096.tif 000017
【図１７】
0006506096.tif 000018
【図１８】
0006506096.tif 000019